(57)【特許請求の範囲】
【請求項１】
互いに略平行に配置された一対のＴバーの頭部に係止する係止部を両端に有し略中央下面に挿通用固定部を垂下しこの挿通用固定部の近傍に突出部を有する取付具と、前記挿通用固定部を挿通させて前記取付具に接近した状態で前記突出部が位置決め係止する長孔を有して両側部が前記Ｔバーの下端水平部上に位置する器具本体と、前記挿通用固定部に取付けられて前記器具本体を前記取付具に固定する固定部材とを備えた照明器具。
【請求項２】
前記挿通用固定部を前記器具本体の前記長孔に挿通した状態で前記挿通用固定部に前記固定部材を仮止めし、かつ、前記取付具の前記突出部が前記長孔から離れた位置において前記取付具を前記長孔の長手方向の一方にずらせた状態で、前記取付具の前記一方を片方の前記Ｔバーの頭部に係止できるように、前記長孔は前記長孔内を前記挿通用固定部が移動できる長さとした請求項１記載の照明器具。
【発明の詳細な説明】
【０００１】
【発明の属する技術分野】
この発明は、システム天井に取付けられる照明器具に関するものである。
【０００２】
【従来の技術】
従来のシステム天井用の照明器具は、Ｔバーに取付金具を固定し、Ｔバーの上方から器具本体を取付金具に取付けるようにしていた。
【０００３】
【発明が解決しようとする課題】
しかし、Ｔバーの上方にＣチャンネル等の天井下地材や空調ダクトが近接している場合には、照明器具の施工が容易でなく、また取付け場所が制限されるという欠点があった。
したがって、この発明の目的は、Ｔバーの下方からＴバーに取付けることができる照明器具を提供することである。
【０００４】
【課題を解決するための手段】
請求項１記載の照明器具は、互いに略平行に配置された一対のＴバーの頭部に係止する係止部を両端に有し略中央下面に挿通用固定部を垂下しこの挿通用固定部の近傍に突出部を有する取付具と、前記挿通用固定部を挿通させて前記取付具に接近した状態で前記突出部が位置決め係止する長孔を有して両側部が前記Ｔバーの下端水平部上に位置する器具本体と、前記挿通用固定部に取付けられて前記器具本体を前記取付具に固定する固定部材とを備えたものである。
【０００５】
請求項１記載の照明器具によれば、取付具の挿通用固定部を長孔に通して固定部材により器具本体を挿通用固定部に取付けるとともに突出部を長孔に係止するので確実に器具本体を固定できる。しかも取付具および器具本体をＴバーの下から取付け固定することができるので、Ｔバーの上方に天井下地材等が近接していても簡単に照明器具を取付けることができる。
【０００６】
請求項２記載の器具取付装置は、請求項１において、前記挿通用固定部を前記器具本体の前記長孔に挿通した状態で前記挿通用固定部に前記固定部材を仮止めし、かつ、前記取付具の前記突出部が前記長孔から離れた位置において前記取付具を前記長孔の長手方向の一方にずらせた状態で、前記取付具の前記一方を片方の前記Ｔバーの頭部に係止できるように、前記長孔は前記長孔内を前記挿通用固定部が移動できる長さとしたものである。
請求項２記載の器具取付装置によれば、請求項１の効果のほか、器具本体に取付具の挿通用固定部を通し固定部材で仮止めした状態で、取付具をＴバーの下方から取付けることができるので施工容易になる。
【０００７】
【発明の実施の形態】
この発明の第１の実施の形態を図１ないし図５により説明する。すなわち、この照明器具は、取付具１と、器具本体２とを有する。
取付具１は、互いに略平行に配置された一対のＴバー３，４の頭部３ｂ，４ｂに係止する係止部５を両端に有し、略中央下面に挿通用固定部１３を垂下し、この挿通用固定部１３の近傍に突出部７を有する。Ｔバー３，４は天井に施工されている。実施の形態の取付具１は金属製で一対有し、それぞれ矩形平板の水平片８と、水平片８の両側を直角に折曲した補強片９とで形成し、係止部５は水平片８の両端を直角に折曲した垂直片１０と、垂直片１０に切起こされた浮上り防止爪１１からなる。そして垂直片１０間の距離（内幅）Ｌ1 を、Ｔバー３，４の頭部３ｂの外側間距離（外幅）Ｌ2 に略等しいかあるいはやや大きくしている。挿通用固定部１３はねじを実施の形態とし、取付具１の中央部を貫通した状態に取付けてねじ部を取付具１の下面より垂下している。一対の突出部７は挿通用固定部１３の垂直片１０を結ぶ方向の両側に位置し、その方向に長い板状に垂下している。
【０００８】
この取付具１はＴバー３，４の間で下方より係止部５の一方を挿入してＴバー３の上方に大きく乗り越え、係止部５の他方をＴバー４の上方に移動して係止部５の両方をＴバー３，４に載せ、浮上り防止爪１１をＴバー３，４の首部３ａ，４ａに係止し、これにより取付具１の浮上りが防止され、取付け状態となる。器具本体２は、挿通用固定部１３を挿通させて取付具１に接近した状態で突出部７が位置決め係止する長孔１２を有して両側部２ｃがＴバー３，４の下端水平部３ｃ，４ｃ上に位置する。実施の形態の器具本体２は周壁２ａを有する矩形の箱形であり、天部２ｂに長孔１２を設け、長孔１２の長手方向は器具本体２の幅方向であり、また器具本体２の取付位置を天井下地材等に応じて選択可能にするため長孔１２を４箇所に設けている。挿通用固定部１３を長孔１２に挿通した状態たとえば図５に示す後述の仮止め状態では、挿通用固定部１３は長孔１２内を移動可能である。また長孔１２は取付具１の突出部７が器具本体２の長孔１２から離れた位置において器具本体２を幅方向の一方にずらせた状態で取付具１を片方のＴバー３に係止できる長さである。
【０００９】
したがって、図５に示すように器具本体２に取付具１を仮止めした状態で、取付具１を器具本体２に対して片方に偏るようにスライドさせ、取付具１の一方の係止部５をＴバー３に大きく乗り上げることが可能となる。そして矢印のように取付具１をＴバー３，４間に挿入し、他方の係止部５をＴバー４の上に係載する際に器具本体２を長孔１２に沿って取付具１に対して反対向きにスライドすると、他方の係止部５がＴバー４に係載することが可能となり、これでＴバー３，４上に両係止部５を落込み、浮き上がり防止用爪１１を首部３ａ，４ａに係止して取付状態となす。また器具本体２の両側部２ｃがＴバー３，４の下端水平部３ｃ，４ｃ上に位置することができる。
【００１０】
固定部材１４は、挿通用固定部１３に取付けられて器具本体２を取付具１に固定するが、実施の形態ては取付用ナットを用い、ねじである挿通用固定部１３にねじ込むことにより取付ける。そして、固定部材１４を若干ねじ込んだ状態は仮止め状態であり、器具本体２に取付具１を取付けているが、取付具１は器具本体２の幅方向に長孔１２に沿ってスライドできる状態である。この仮止め状態から固定部材１４を締付けると器具本体２が取付具１に接近し、突出部７が長孔１２の両端に位置し、器具本体１が長孔１２に沿って移動することおよび挿通用固定部１３を中心に回動することが規制され器具本体２が位置決めされ、これにより器具本体２が正規の取付状態となり脱落防止となる。一方固定部材１４を緩めると器具本体２および取付具１をＴバー３，４から取り外すことが可能となる。
【００１１】
なお、１７は反射板であり、固定部材１４の締付け後に器具本体２に取付けられる。１６は器具本体２に設けたランプソケット（図示せず）に装着されたランプである。
この実施の形態によれば、取付具１の挿通用固定部１３を長孔１２に通して固定部材１４により器具本体２を挿通用固定部１３に取付けるとともに突出部７を長孔１２に係止するので確実に器具本体２を固定できる。しかも取付具１および器具本体２をＴバー３，４の下から取付け固定することができるので、Ｔバー３，４の上方に天井下地材等が近接していても簡単に照明器具を取付けることができる。
【００１２】
また長孔１２が取付具１を器具本体２に対して一方にずらせた状態で取付具１の一方を片方のＴバー３の頭部３ｂに係止できる長さにしているため、器具本体２に取付具１の挿通用固定部１３を通し固定部材１４で仮止めした状態で、取付具１をＴバー３，４の下方から取付けることができるので施工容易になる。
この結果、既設天井リニューアル用として直付けで照明・設備を一体とした設備ラインの形成が可能となる。また空調ダクト等の引込み開口以外に照明器具を取付けるための天井開口が不要となる。
【００１３】
この発明の第２の実施の形態を図６に示す。すなわち、天井材１９が先にＴバー３，４に施工されている例を示している。第１の実施の形態と異なる点は、長孔１２の長さを第１の実施の形態のように定めていないことである。ただし、器具本体２をＴバー３，４に載置するときに取付具１とのお互いの動作を妨げない程度に相互の位置関係を変えることができる長さにしている。また浮き上がり防止爪１１をＴバー３，４の頭部３ｂ，４ｂの内側に係止している。この照明器具では、まず取付具１をＴバー３，４に係止し、つぎに器具本体２の長孔１２を挿通用固定部１３に通しスライドしながら器具本体２の両側部２ｃをＴバー３，４の下端水平部３ｃ，４ｃ上に載り上げ、固定部材１４で挿通用固定部１３を締めつける。その他は第１の実施の形態と同様である。
【００１４】
なお、突出部７は１個に突出部７と器具本体２とで長孔１２の両端に位置決めしたり、長孔１２の一部の幅方向を大きくして突出部７を嵌合させて長孔１２の長手方向のスライドを規制することも可能である。
【００１５】
【発明の効果】
請求項１記載の照明器具によれば、取付具の挿通用固定部を長孔に通して固定部材により器具本体を挿通用固定部に取付けるとともに突出部を長孔に係止するので確実に器具本体を固定できる。しかも取付具および器具本体をＴバーの下から取付け固定することができるので、Ｔバーの上方に天井下地材等が近接していても簡単に照明器具を取付けることができる。
【００１６】
請求項２記載の照明器具によれば、請求項１の効果のほか、器具本体に取付具の挿通用固定部を通し固定部材で仮止めした状態で、取付具をＴバーの下方から取付けることができるので施工容易になる。
【図面の簡単な説明】
【図１】この発明の第１の実施の形態の断面図である。
【図２】取付具の斜視図である。
【図３】取付具を器具本体に取付ける状態の斜視図である。
【図４】取付具を取付けた照明器具を下方からみた斜視図である。
【図５】照明器具のＴバーへの取付けを説明する説明図である。
【図６】第２の実施の形態の器具本体の取付け過程を示す断面図である。
【符号の説明】
１    取付具
２    器具本体
２ｃ    下端両側部
３，４    Ｔバー
３ａ，４ａ  頭部
３ｃ，４ｃ  下端水平部
５    係止部
７    突出部
１２    長孔
１３    挿通用固定部
１４    固定部材
【図１】
0003780642.tif 000002
【図２】
0003780642.tif 000003
【図３】
0003780642.tif 000004
【図４】
0003780642.tif 000005
【図５】
0003780642.tif 000006
【図６】
0003780642.tif 000007